(57)【要約】  【課題】濃度調整を、生産性の低下を抑制しつつ精度良く実施することができる画像形成装置を提供すること。  【解決手段】キャリブレーションモードにおいては、転写ベルト３の表面に担持される画像４０のピッチ（第１ピッチＢ）が転写ベルト３の周長Ｒの１／３の長さに設定されている（（ａ）参照）。通常時における転写ベルト３の表面に担持される画像４０のピッチ（第２ピッチＡ）は、第１ピッチＢよりも狭く設定されている。【選択図】図３
2008292925.tif 000002
【特許請求の範囲】
【請求項１】
画像形成ユニットと、この画像形成ユニットに対して、所定の間隔をあけて間欠的に複数枚の用紙を搬送する搬送手段とを有し、搬送される複数枚の用紙に対して画像形成ユニットで形成される画像を連続的に転写する連続印刷処理のできる画像形成装置において、
前記画像形成ユニットは、
用紙に転写すべき連続する画像を、予め定めるピッチでその表面に担持する回転体と、
濃度調整時において、前記回転体の表面上の予め定める測定位置に対し、画像と画像との間で、濃度検出用画像を形成する濃度検出用画像形成手段と、
前記濃度検出用画像の濃度、および前記濃度検出用画像が形成される前の前記測定位置の濃度を測定する測定手段と、
前記測定手段によって測定された前記濃度検出用画像の濃度を、前記測定手段によって測定された前記測定位置の濃度に基づいて補正する手段と、
前記補正された濃度検出用画像の濃度を、予め設定された基準濃度と比較して、前記画像形成ユニットが形成する画像の濃度を前記基準濃度とするように調整する手段と、
前記濃度調整時において、前記濃度検出用画像の形成前の前記測定位置が画像と画像との間に位置するように、前記回転体に担持される画像のピッチを、前記回転体の周長のｍ／ｎ倍（ｍ，ｎは整数）の長さである第１のピッチに設定する手段と、
前記濃度調整時を除いて、前記回転体に担持される画像のピッチを、前記第１のピッチよりも狭い第２のピッチに設定する手段とを有することを特徴とする、画像形成装置。
【請求項２】
前記画像形成ユニットは、前記画像を形成するための感光体ドラムをさらに含み、
前記回転体は、前記感光体ドラムによって連続的に形成された画像を一時的に担持する無端状の転写ベルトであることを特徴とする、請求項１記載の画像形成装置。
【請求項３】
前記画像形成ユニットは、カラー画像形成ユニットであって、
前記濃度検出用画像形成手段は、互いに異なる複数の色の濃度検出用画像を形成するものであり、
前記回転体の表面には、形成される濃度検出用画像の色に対応する複数の測定位置が形成されており、
第１の色用の測定位置と第２の色用の測定位置とは、前記回転体の回転方向に、前記第１のピッチのｓ倍（ｓは整数）だけずれていることを特徴とする、請求項1または２記載の画像形成装置。
【発明の詳細な説明】
【技術分野】
【０００１】
この発明は、複写機、プリンタ、ファクシミリ装置等の画像形成装置に関して、特に、フルカラーの画像を形成することのできるカラー画像形成装置に関する。
【背景技術】
【０００２】
カラー画像形成装置において、キャリブレーション（濃度調整）は色味を合わせる重要な役割をしている。このため、濃度調整の補正精度の向上が必要であるとともに、生産性をダウンさせずに濃度調整を実施することが要求されている。
カラー画像形成装置における濃度調整は、連続印刷の間に転写ベルトに形成される各色のトナーパッチの測定濃度に基づいて実施される。かかる濃度調整においては、中間転写ベルトの表面性のばらつきが測定精度に影響を与えることを防止するために、トナーパッチ形成前およびトナーパッチ形成後において中間転写ベルトの同じ位置を濃度測定し、そのトナーパッチ形成前後の濃度を差分することで、トナーパッチの濃度を算出している（たとえば特許文献１）。
【特許文献１】特開２０００−２２１７３８号公報
【発明の開示】
【発明が解決しようとする課題】
【０００３】
しかしながら、中間転写ベルト上の同じ位置の濃度を、センサによって複数回測定するためには、中間転写ベルトを必要以上に回転させなければならず、濃度調整のために多大な時間を要する。このため、連続印刷の速度が低下し、画像形成装置の生産性がダウンしてしまう。
そこで、この発明は、濃度調整を、生産性の低下を抑制しつつ精度良く実施することができる画像形成装置を提供することを主たる目的とする。
【課題を解決するための手段】
【０００４】
前記の目的を達成するための請求項１記載の発明は、画像形成ユニット（２）と、この画像形成ユニットに対して、所定の間隔をあけて間欠的に複数枚の用紙（Ｐ）を搬送する搬送手段（２６）とを有し、搬送される複数枚の用紙に対して画像形成ユニットで形成される画像（４０）を連続的に転写する連続印刷処理のできる画像形成装置（１）において、前記画像形成ユニットは、用紙に転写すべき連続する画像を、予め定めるピッチでその表面に担持する回転体（３）と、濃度調整時において、前記回転体の表面上の予め定める測定位置（３１，３２，３３，３４）に対し、画像と画像との間で、濃度検出用画像を形成する濃度検出用画像形成手段（９，１１，１３，１５）と、前記濃度検出用画像の濃度、および前記濃度検出用画像が形成される前の前記測定位置の濃度を測定する測定手段（８）と、前記測定手段によって測定された前記濃度検出用画像の濃度を、前記測定手段によって測定された前記測定位置の濃度に基づいて補正する手段（３０）と、前記補正された濃度検出用画像の濃度を、予め設定された基準濃度と比較して、前記画像形成ユニットが形成する画像の濃度を前記基準濃度とするように調整する手段（３０，１０，１２，１４，１６）と、前記濃度調整時において、前記濃度検出用画像の形成前の前記測定位置が画像と画像との間に位置するように、前記回転体に担持される画像のピッチを、前記回転体の周長のｍ／ｎ倍（ｍ，ｎは整数）の長さである第１のピッチに設定する手段（３０）と、前記濃度調整時を除いて、前記回転体に担持される画像のピッチを、前記第１のピッチよりも狭い第２のピッチに設定する手段（３０）とを有することを特徴とする、画像形成装置である。
【０００５】
なお、括弧内の数字は、後述の実施形態における対応構成要素等を表す。以下、この項において同じ。
請求項２記載の発明は、前記画像形成ユニットは、前記画像を形成するための感光体ドラム（４，５，６，７）をさらに含み、前記回転体は、前記感光体ドラムによって連続的に形成された画像を一時的に担持する無端状の転写ベルト（３）であることを特徴とする、請求項１記載の画像形成装置である。
【０００６】
請求項３記載の発明は、前記画像形成ユニットは、カラー画像形成ユニット（２）であって、前記濃度検出用画像形成手段は、互いに異なる複数の色の濃度検出用画像を形成するものであり、前記回転体の表面には、形成される濃度検出用画像の色に対応する複数の測定位置（３１，３２，３３，３４）が形成されており、第１の色用の測定位置（３１，３２）と第２の色用の測定位置（３３，３４）とは、前記回転体の回転方向に、前記第１のピッチのｓ倍（ｓは整数）だけずれていることを特徴とする、請求項1または２記載の画像形成装置である。
【発明の効果】
【０００７】
画像のピッチとは、回転体の表面に担持される連続画像のある画像の終端から次の画像の終端までの距離をいう。
請求項１記載の発明によれば、濃度調整時においては回転体の表面に第１のピッチで画像が連続して担持され、濃度調整時以外のときには回転体の表面に、第１のピッチよりも狭い第２のピッチで画像が連続して担持される。
【０００８】
回転体の表面の予め定める測定位置に濃度検出用画像が形成され、この濃度検出用画像の濃度と測定位置の下地の濃度とを測定し、これらの測定値により補正後の濃度検出用画像の濃度が求められる。画像のピッチが第１のピッチに設定されているので、測定位置の下地の濃度を測定した後、回転体をｍ周だけ回転させれば、測定位置は再び画像と画像との間に位置する。このため、濃度検出用画像の濃度および測定位置の下地の濃度を適切に求めることができる。また、回転体を何周も回転させることなく測定位置および濃度検出用画像の濃度を測定することができるために、濃度調整を比較的短い時間で実施することができる。
【０００９】
濃度調整時以外のときに画像のピッチが狭く設定されているので、連続印刷に要する時間が短くなる。濃度調整時以外では、画像のピッチを回転体の周長のｍ／ｎ倍の長さに設定する必要がないので、画像のピッチを第１のピッチよりも狭くしても、とくに不具合は生じない。これにより、濃度調整を、生産性の低下を抑制しつつ精度良く実施することができる。
【００１０】
請求項２記載の発明によれば、無端状の転写ベルトの予め定める測定位置に濃度検出用画像が形成されて、この濃度検出用画像の濃度と転写ベルトの下地の濃度とを測定することによって、濃度検出用画像の補正後の濃度が求められる。
請求項３記載の発明によれば、第１の色用の測定位置と第２の色用の測定位置とを、第１のピッチのｓ倍だけずらして設けているので、第１の色用の測定位置を画像と画像との間に位置させれば、第２の色用の測定位置も画像と画像との間に位置するようになる。このため、回転体を何周も回転させることなく、複数の異なる色に関して、下地の濃度と検出用画像の濃度とを測定することができる。これにより、複数の色の濃度調整を、生産性の低下を抑制しつつ精度良く実施することができる。
【発明を実施するための最良の形態】
【００１１】
以下では、この発明の実施の形態を、添付図面を参照して詳細に説明する。
図１は、この発明に係る画像形成装置の一例であるカラープリンタ１の要部構成を図解的に示す断面図である。カラープリンタ１は、カラー画像を形成するためのタンデム型の画像形成ユニット２を備えている。
この画像形成ユニット２には、転写ベルト３と、転写ベルト３の表面を清掃するためのクリーニング装置２８と、転写ベルト３の移動方向２４に沿って転写ベルト３に接するように配列されたマゼンタ用の感光体ドラム４、シアン用の感光体ドラム５、イエロー用の感光体ドラム６およびブラック用の感光体ドラム７とが設けられている。さらに、転写ベルト３の移動方向２４から見て、ブラック用の感光体ドラム７の下流側には、濃度検出用画像であるトナーパッチ４１〜４４（図３参照）の濃度を測定するための濃度センサ８が配置されている。
【００１２】
マゼンタ用の感光体ドラム４には、当該感光体ドラム４の周面に形成された静電潜像をマゼンタのトナーで現像するためのマゼンタ現像器９、および、この感光体ドラム４の周面を帯電させるためのマゼンタ用帯電器１０が隣設されている。同様に、シアン用の感光体ドラム５には、静電潜像をシアンのトナーで現像するためのシアン現像器１１、および、この感光体ドラム５の周面を帯電させるためのシアン用帯電器１２が隣設されている。イエロー用の感光体ドラム６には、静電潜像をイエローのトナーで現像するためのイエロー現像器１３、およびこの感光体ドラム６の周面を帯電させるためのイエロー用帯電器１４が隣設されている。ブラック用の感光体ドラム７には、静電潜像をブラックのトナーで現像するためのブラック現像器１５、およびこの感光体ドラム７の周面を帯電させるためのブラック用帯電器１６が隣設されている。さらに、各感光体ドラム４〜７の周面に担持される各トナー像を転写ベルト３に転写するために、各感光体ドラム４〜７の周面には、転写ベルト３を隔てて転写ローラ１７，１８，１９，２０が配置されている。
【００１３】
転写ベルト３は、駆動ローラ２１および従動ローラ２２間に張設されており、テンションローラ２３によって所定の張力が与えられている。転写ベルト３は、移動方向２４に向けて移動し、このため、４つの感光体ドラム４〜７は、それぞれ、図１において反時計周りに回転する。
各感光体ドラム４〜７は、帯電器１０，１２，１４，１６によって、その周面がそれぞれ予め定める電位に帯電され、そこにＬＳＵ（レーザースキャニングユニット）等により原稿画像に対応した画像が書き込まれ、それによって静電潜像が形成される。その静電潜像は、現像器９，１１，１３，１５によって互いに異なる色のトナー像にそれぞれ現像される。そして、各色のトナー像は、転写ローラ１７〜２０によって転写ベルト３上に一旦担持されて、転写ベルト３上で、各トナー像が重ね合わされる。
【００１４】
一方で、用紙Ｐは、複数枚の用紙Ｐを収容可能な図示しないカセットから、図示しない引出ローラで引き出される。搬送ローラ２６によって、画像形成ユニット２に向けて複数枚の用紙Ｐが所定の間隔をあけて搬送される。この画像形成ユニット２に搬送される用紙Ｐに対して、転写ベルト３に一旦担持されたトナー像が転写ローラ２７によって転写される。
【００１５】
制御部３０は、各感光体ドラム４〜７、各現像器９，１１，１３，１５、各帯電器１０，１２，１４，１６および各転写ローラ１７〜２０による画像形成動作を制御する。また、制御部３０は搬送ローラ２６を含む搬送機構を制御する。さらに、濃度センサ８の検出出力は、制御部３０に与えられるようになっており、これにより、制御部３０は、濃度検出用画像であるトナーパッチ４１〜４４の濃度の測定を行うことができる。
【００１６】
この実施形態にかかるカラープリンタ１では、画像の色味を合わせるための濃度調整処理（キャリブレーション処理）が用意されている。キャリブレーション処理は、カラープリンタ１の生産性をダウンさせることのないように、連続印字動作の間に実施される。連続印字動作は、制御部３０の図示しないメモリに印刷ジョブがあることを条件として開始される。
【００１７】
図２は、カラープリンタ１における連続印字動作の一例を示すフローチャートである。  図３は、転写ベルト３上に担持される画像を模式的に示す図である。図３（ａ）は通常時における転写ベルト３を示し、図３（ｂ）は後述するキャリブレーションモード時における転写ベルト３を示している。
連続印字動作が開始されると、制御部３０は、画像形成の対象となる画像４０のサイズおよび向きを認識し（ステップＳ１）、その画像のサイズおよび向きに基づいて、画像４０のピッチ（画像４０の終端から次の画像４０の終端までの距離）を通常時におけるピッチ（第２ピッチＡ）およびキャリブレーションモードにおけるピッチ（第１ピッチＢ）を設定する（ステップＳ２）。第２ピッチＡは第１ピッチＢよりも狭く設定されている。画像４０のサイズが「Ａ４」で、その向きが「ヨコ」である場合には、第２ピッチＡとしてたとえば２７０ｍｍ（用紙４０の幅２１０ｍｍ、用紙４０間の間隔６０ｍｍ）を例示することができる。また、この場合の第１ピッチＢとしてたとえば３００ｍｍ（用紙４０の幅２１０ｍｍ、用紙４０間の間隔９０ｍｍ）を例示することができる。
【００１８】
その後、印字動作が実施される（ステップＳ３）。この印字動作は１つの印刷ジョブの印字が終了するまで連続して実行される（ステップＳ４，Ｓ５）。ステップＳ３の印字動作では、画像４０（図４参照）は、転写ベルト３の表面に連続して担持される。通常時には、制御部３０は、当該画像４０と前の画像４０とのピッチが第２ピッチＡとなるように、各感光体ドラム４〜７、各現像器９，１１，１３，１５および各帯電器１０，１２，１４，１６による画像形成動作を制御する（ステップＳ３，図３（ａ）参照）。したがって、通常時において、転写ベルト３の表面に連続して担持される画像４０のピッチは第２ピッチＡとなる。
【００１９】
図３（ａ）に示すＲは、無端状の転写ベルト３の周長である。この周長Ｒとして、たとえば９００ｍｍを例示することができる。言い換えれば、第１ピッチＢは、周長Ｒの１／３の長さに設定されている。
印刷ジョブの印字が終了するまでに、印字枚数が所定枚数に到達したとき（たとえば前回のキャリブレーション処理終了からの印字枚数が所定枚数に到達したとき）には（ステップＳ５でＹＥＳ）、連続印字動作と並行してキャリブレーション処理が実行されるキャリブレーションモードに突入する。
【００２０】
図４は、キャリブレーションモードにおいて実行される印字動作およびキャリブレーション処理の一例を示すフローチャートである。
キャリブレーションモードにおける印字動作では、制御部３０は、前の画像４０とのピッチが第１ピッチＢとなるように、各感光体ドラム４〜７、各現像器９，１１，１３，１５および各帯電器１０，１２，１４，１６を制御して、画像４０を形成する（ステップＳ１３，図３（ｂ）参照）。このため、転写ベルト３に連続して担持される画像４０のピッチは第１ピッチＢとなる。この第１ピッチＢで連続する画像４０と画像４０との間に、濃度検出用画像であるトナーパッチ４１〜４４が形成される。これらのトナーパッチ４１〜４４は転写ベルト３の表面の予め定められた測定位置３１〜３４に形成される。なお、印字動作はキャリブレーション処理が終了するまで続行される（ステップＳ２０）。
【００２１】
そして、トナーパッチ４１〜４４を形成するタイミングとなったときには（ステップＳ１１でＹＥＳ）、制御部３０は各感光体ドラム４〜７、各現像器９，１１，１３，１５および各帯電器１０，１２，１４，１６を制御して、測定位置３１〜３４にトナーパッチ４１〜４４を形成させる（ステップＳ１２）。
図３（ｂ）を参照して、トナーパッチ４１，４２，４３、４４は、それぞれ、マゼンタ、シアン、イエローおよびブラックのトナーパッチである。マゼンタのトナーパッチ４１は、画像のマゼンタ濃度を測定するためのものである。シアンのトナーパッチ４２は、画像のシアン濃度を測定するためのものである。イエローのトナーパッチ４３は、画像のイエロー濃度を測定するためのものである。ブラックのトナーパッチ４４は、画像のブラック濃度を測定するためのものである。
【００２２】
転写ベルト３には、測定位置３１と測定位置３２とが、転写ベルト３の回転方向２４に沿って並設されている。また、測定位置３１と間隔Ｃを隔てた後方には、測定位置３３が設けられている。この測定位置３３には、測定位置３４が、転写ベルト３の回転方向２４に沿って並設されている。測定位置３２および測定位置３４も、間隔Ｃを隔てて設けられている。この間隔Ｃは、第１ピッチＢと同じ長さに設定されている。言い換えれば、マゼンタおよびシアンの測定位置３１，３２と、イエローおよびブラックの測定位置３３，３４とが第１ピッチＢ分ずれている。
【００２３】
マゼンタのトナーパッチ４１は測定位置３１に形成される。シアンのトナーパッチ４２は測定位置３２に形成される。イエローのトナーパッチ４３は測定位置３３に形成される。また、ブラックのトナーパッチ４４は、測定位置３４に形成される。
この実施形態では、各トナーパッチ４１〜４４の濃度を測定するだけでなく、各トナーパッチ４１〜４４が形成される転写ベルト３表面の測定位置３１〜３４の下地濃度も測定し、各トナーパッチ４１〜４４の濃度の測定値を下地濃度の測定値を用いて補正している。そのため、転写ベルト３の表面の汚れ（ノイズ）の影響をほとんど受けることなく、各トナーパッチ４１〜４４の濃度を求めることができる。各測定位置３１〜における下地の濃度の測定は、トナーパッチ４１〜４４が形成される前に実施される。
【００２４】
キャリブレーションモードにおける転写ベルト３の表面に担持される画像４０のピッチ（第１ピッチ）が転写ベルト３の周長Ｒの１／３の長さであるので、各測定位置３１〜３４が画像４０と画像４０との間に位置している場合には、転写ベルト３が１周回転させたときには、各測定位置３１〜３４が、再び、画像４０と画像４０との間に位置している。このため、濃度検出用画像の濃度および測定位置の下地の濃度を適切に求めることができる、また、転写ベルト３を何周も回転させることなく各測定位置３１〜３４およびトナーパッチ４１〜４４の濃度を測定することができるために、濃度調整を比較的短い時間で実施することができる。
【００２５】
転写ベルト３の測定位置３１〜３４が濃度センサ８に対向したとき（ステップＳ１４）、下地濃度が測定済みか否かが調べられ、下地濃度が未だ測定されていない場合には（ステップＳ１５でＮＯ）、測定位置３１〜３４の下地の濃度が濃度センサ８によって測定される（ステップＳ１６）。また、下地濃度が既に測定済みである場合には（ステップＳ１５でＹＥＳ）、トナーパッチ４１〜４４の濃度が濃度センサ８によって測定される（ステップＳ１７）。
【００２６】
そして、制御部３０は、トナーパッチ４１〜４４の測定値と下地の測定値とを差分し（ステップＳ１８）、トナーパッチ４１〜４４の濃度を算出する。そして、制御部３０は、各色（マゼンタ、シアン、イエロー、ブラック）のトナーパッチ４１〜４４の濃度に基づいて、画像形成ユニット２の出力条件を変更する（ステップＳ１９）。この画像形成ユニット２の出力条件の変更として、たとえば、対応する色の帯電器１０，１２，１４，１６の帯電電圧の調整を例示することができる。画像形成ユニット２の出力条件の変更後、キャリブレーション処理は終了し（ステップＳ２０でＹＥＳ）、キャリブレーションモードから退避して通常時に戻り、印刷ジョブが終了するまで印字動作が続行される。この通常時の印字動作では、画像形成された画像４０が、転写ベルト３の表面に第１ピッチＢよりも狭い第２ピッチＡで連続して担持される。
【００２７】
以上により、この実施形態によれば、濃度調整時においては転写ベルト３の表面に第１ピッチＢで画像４０が連続して担持され、通常時には転写ベルト３の表面に、第１ピッチＢよりも狭い第２ピッチＡで画像４０が連続して担持される。
通常時以外では、画像４０のピッチ（第２ピッチＡ）が比較的狭く設定されているので、連続印字処理に要する時間を短くすることができる。これにより、濃度調整を、生産性の低下を抑制しつつ精度良く実施することができる。
【００２８】
また、転写ベルト３の表面におけるマゼンタおよびシアンの測定位置３１，３２と、イエローおよびブラックの測定位置３３，３４とが、第１ピッチＢだけずれているので、すべての色の測定位置３１〜３４が画像４０と画像４０との間に位置するようになる。このため、転写ベルト３を何周も回転させることなく、複数の異なる色に関して、トナーパッチ４１〜４４と、測定位置３１〜３４の下地の濃度とを測定することができる。これにより、複数の色の濃度調整を、生産性の低下を抑制しつつ精度良く実施することができる。
【００２９】
以上、この発明の実施形態について説明したが、この発明は、さらに他の形態で実施することもできる。
たとえば、前述の説明では、第１ピッチＢを、転写ベルト３の周長Ｒの１／３の長さに設定する場合について説明したが、たとえば、第１ピッチＢを、周長Ｒの５／１６の長さ（たとえば２８１．３ｍｍ）に設定することもできる。かかる場合には、測定位置３１〜３４が画像４０と画像４０との間に位置してから、次に測定位置３１〜３４が画像４０と画像４０との間に位置するまで、転写ベルト３を５周回転させる必要がある。
【００３０】
また、画像のサイズおよびその向きとして、「Ａ３タテ」、「Ａ４タテ」、「Ａ５ヨコ」のサイズを用いることもできる。「Ａ３タテ」の場合には、第１ピッチＢおよび第２ピッチＡの組合せを、たとえば、４８４．６ｍｍ（周長Ｒの７／１３の長さ、用紙の縦４２０ｍｍ、用紙間の間隔６４．６ｍｍ）、４８０ｍｍ（用紙の縦４２０ｍｍ、用紙間の間隔６０ｍｍ）とすることができる。「Ａ４タテ」の場合には、第１ピッチおよび第２ピッチの組合せを、たとえば、３６０ｍｍ（周長Ｒの２／５の長さ、用紙の縦２９８ｍｍ、用紙間の間隔６２ｍｍ）、３５８ｍｍ（用紙の縦２９８ｍｍ、用紙間の間隔６０ｍｍ）とすることができる。「Ａ５ヨコ」の場合には、第１ピッチおよび第２ピッチの組合せを、たとえば、２１０ｍｍ（周長Ｒの７／３０の長さ、用紙の縦１４９ｍｍ、用紙間の間隔６１ｍｍ）、２０９ｍｍ（用紙の縦１４９ｍｍ、用紙間の間隔６０ｍｍ）とすることができる。
【００３１】
さらに転写ベルト３の表面におけるマゼンタおよびシアンの測定位置３１，３２と、イエローおよびブラックの測定位置３３，３４との間隔Ｃが第１ピッチＢであるとして説明したが、間隔Ｃは第１ピッチＢのｓ倍（ｓは整数）であればよい。
また、測定位置３１〜３４が、それぞれ間隔Ｃを隔てて設けられていてもよい。
さらに、前述の実施形態では、帯電器１０，１２，１４，１６の帯電電圧を調整することにより、各トナー像のトナー量を制御するようにしたが、トナー量の制御はこれ以外にも、現像器９，１１，１３，１５の現像ローラに与える現像バイアスや、露光器の露光強度、転写電圧等を調整することにより行うことができる。また、トナー量の制御は、画像形成制御だけでなく、たとえば画像制御階調などの画像処理に関するパラメータの制御により実現することも可能である。
【００３２】
また、濃度センサ８は、転写ベルト３の表面の下地およびトナーパッチ４１〜４４ではなく、感光体ドラム４〜７の周面の表面の下地およびその表面に形成されたトナーパッチの濃度を測定するものであってもよいし、用紙Ｐ上の下地およびその用紙Ｐ上に形成されたトナーパッチの濃度を検出するものであってもよい。
前述の説明では、画像形成装置としてカラープリンタを例に挙げて説明したが、本発明は、モノクロのプリンタにも適用でき、また、複写機や複合機などの他の画像形成装置にも適用できる。
【００３３】
その他、特許請求の範囲に記載された事項の範囲で種々の設計変更を施すことが可能である。
【図面の簡単な説明】
【００３４】
【図１】この発明に係る画像形成装置の一例であるカラープリンタの内部構成を図解的に示す断面図である。
【図２】カラープリンタにおける連続印刷制御の一例を示すフローチャートである。
【図３】転写ベルト上に担持される画像を模式的に示す図である。（ａ）は、通常時における転写ベルトを示し、（ｂ）は、後述するキャリブレーションモード時における転写ベルトを示している。
【図４】キャリブレーションモードにおいて実行される印字動作およびキャリブレーション処理の一例を示すフローチャートである。
【符号の説明】
【００３５】
１  カラープリンタ（画像形成装置）
２  画像形成ユニット
３  転写ベルト
４，５，６，７  感光体ドラム
８  濃度センサ
９，１１，１３，１５  現像器
１０，１２，１４，１６  帯電器（濃度調整手段）
１７，１８，１９，２０  転写ローラ
３０  制御部
３１，３２，３３，３４  測定位置
４０  画像
４１，４２，４３，４４  トナーパッチ（濃度検出用画像）
Ｐ    用紙
【図１】
2008292925.tif 000003
【図２】
2008292925.tif 000004
【図３】
2008292925.tif 000005
【図４】
2008292925.tif 000006